【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
画像データを各種媒体に出力するジョブを実行する画像出力装置とサーバとが通信回線網を介して接続された画像管理システムにおいて、
前記画像出力装置は、
前記ジョブの実行時にユーザ情報を取得する取得手段と、
前記取得手段により取得されたユーザ情報と、前記ジョブの実行時に出力された画像データとを対応付けて履歴情報として蓄積記憶する履歴記憶手段と、
前記履歴記憶手段に記憶された履歴情報を所定のタイミングで前記サーバに一括して転送する履歴転送手段と、
前記履歴転送手段により履歴情報を前記サーバに一括して転送中は前記ジョブの実行を禁止する制御手段と、
を備え、
前記サーバは、
前記画像出力装置から転送される履歴情報を受信する受信手段と、
前記受信手段により受信された履歴情報を蓄積記憶する履歴管理手段と、
を備えることを特徴とする画像管理システム。
【請求項２】
前記サーバは、
所定の時間帯に前記履歴情報の転送要求を前記画像出力装置に送信する定期要求送信手段を更に備え、
前記画像出力装置は、
前記サーバからの前記転送要求を受信したか否かを判定する要求判定手段を更に備え、
前記履歴転送手段は、
前記要求判定手段により前記転送要求を受信したと判定された場合に、前記履歴記憶手段に記憶された履歴情報を前記サーバに転送する定期転送手段を有することを特徴とする請求項１に記載の画像管理システム。
【請求項３】
前記画像出力装置は、
前記履歴記憶手段の空き容量を取得する容量取得手段と、
前記容量取得手段により取得された空き容量が所定容量以下であるか否かを判定する判定する容量判定手段と、
を更に備え、
前記履歴転送手段は、
前記容量判定手段により所定容量以下であると判定された場合に、前記履歴記憶手段に記憶された履歴情報を前記サーバに転送する容量不足時転送手段を有することを特徴とする請求項１又は２に記載の画像管理システム。
【請求項４】
前記画像出力装置は、
予め登録されたユーザ情報を記憶するユーザ情報記憶手段と、
前記取得手段により取得されたユーザ情報と前記ユーザ情報記憶手段に記憶されたユーザ情報とが一致するか否かを判定するユーザ情報判定手段と、
を更に備え、
前記履歴転送手段は、
前記ユーザ情報判定手段によりユーザ情報が一致すると判定された場合に、前記履歴記憶手段に記憶された当該ユーザ情報を含む履歴情報を前記サーバに即時的に転送する登録ユーザ転送手段を有することを特徴とする請求項１〜３の何れか一項に記載の画像管理システム。
【請求項５】
前記履歴記憶手段は、
前記出力された画像データを縮小して履歴情報として蓄積記憶する、ことを特徴とする請求項１〜４の何れか一項に記載の画像管理システム。
【請求項６】
前記画像出力装置は、
前記履歴情報の転送が正常終了したか否かを判定する転送終了判定手段を更に備え、
前記制御手段は、
前記転送終了判定手段により正常終了していないと判定された場合に、前記ジョブの実行を禁止する制御を継続することを特徴とする請求項１〜５の何れか一項に記載の画像管理システム。
【請求項７】
前記画像データの出力は、
当該画像データに基づいた画像の記録媒体上への画像形成による出力と、前記通信回線網への送信による出力との何れかを少なくとも含むことを特徴とする請求項１〜６の何れか一項に記載の画像管理システム。
【請求項８】
前記取得手段は、
前記画像データに関する出力条件を示す出力ジョブ情報を更に取得し、
前記履歴記憶手段は、前記履歴情報として更に前記出力ジョブ情報を対応付けて蓄積記憶することを特徴とする請求項１〜７の何れか一項に記載の画像管理システム。
【請求項９】
前記制御手段は、
前記履歴転送手段による前記履歴情報の転送が終了すると、転送された履歴情報を前記履歴記憶手段から削除する、ことを特徴とする請求項１〜８の何れか一項に記載の画像管理システム。
【請求項１０】
前記制御手段は、
前記履歴情報の削除が終了した後、前記ジョブの実行の禁止を解除する、ことを特徴とする請求項１〜９の何れか一項に記載の画像管理システム。
【請求項１１】
画像データの各種媒体への出力であるジョブの実行時にユーザ情報を取得する取得手段と、
前記取得手段により取得されたユーザ情報と、前記ジョブの実行時に出力された画像データとを対応付けて履歴情報として蓄積記憶する履歴記憶手段と、
前記履歴記憶手段に記憶された履歴情報を所定のタイミングでサーバに一括して転送する履歴転送手段と、
前記履歴転送手段により履歴情報を前記サーバに一括して転送中は前記ジョブの実行を禁止する制御手段と、
を備えることを特徴とする画像出力装置。
【請求項１２】
前記サーバからの転送要求を受信したか否かを判定する要求判定手段を更に備え、
前記履歴転送手段は、
前記要求判定手段により前記転送要求を受信したと判定された場合に、前記履歴記憶手段に記憶された履歴情報を前記サーバに転送する定期転送手段を有することを特徴とする請求項１１に記載の画像出力装置。
【請求項１３】
前記履歴記憶手段の空き容量を取得する容量取得手段と、
前記容量取得手段により取得された空き容量が所定容量上であるか否かを判定する判定する容量判定手段と、
を更に備え、
前記履歴転送手段は、
前記容量判定手段により所定容量以下であると判定された場合に、前記履歴記憶手段に記憶された履歴情報を前記サーバに転送する容量不足時転送手段を有することを特徴とする請求項１１又は１２に記載の画像出力装置。
【請求項１４】
予め登録されたユーザ情報を記憶するユーザ情報記憶手段と、
前記取得手段により取得されたユーザ情報と前記ユーザ情報記憶手段に記憶されたユーザ情報とが一致するか否かを判定するユーザ情報判定手段と、
を更に備え、
前記履歴転送手段は、
前記ユーザ情報判定手段によりユーザ情報が一致すると判定された場合に、前記履歴記憶手段に記憶された当該ユーザ情報を含む履歴情報を即時的に前記サーバに転送する登録ユーザ転送手段を有することを特徴とする請求項１１〜１３の何れか一項に記載の画像出力装置。
【請求項１５】
前記履歴記憶手段は、
前記出力された画像データを縮小して履歴情報として蓄積記憶する、ことを特徴とする請求項１１〜１４の何れか一項に記載の画像出力装置。
【請求項１６】
前記履歴情報の転送が正常終了したか否かを判定する転送終了判定手段を更に備え、
前記制御手段は、
前記転送終了判定手段により正常終了していないと判定された場合に、前記ジョブの実行を禁止する制御を継続することを特徴とする請求項１１〜１５の何れか一項に記載の画像出力装置。
【請求項１７】
前記画像データの出力は、
当該画像データに基づいた画像の記録媒体上への画像形成による出力と、前記通信回線網への送信による出力との何れかを少なくとも含むことを特徴とする請求項１１〜１６の何れか一項に記載の画像出力装置。
【請求項１８】
前記取得手段は、
前記画像データに関する出力条件を示す出力ジョブ情報を更に取得し、
前記履歴記憶手段は、前記履歴情報として更に前記出力ジョブ情報を対応付けて蓄積記憶することを特徴とする請求項１１〜１７の何れか一項に記載の画像出力装置。
【請求項１９】
前記制御手段は、
前記履歴転送手段による前記履歴情報の転送が終了すると、転送された履歴情報を前記履歴記憶手段から削除する、ことを特徴とする請求項１１〜１８の何れか一項に記載の画像出力装置。
【請求項２０】
前記制御手段は、
前記履歴情報の削除が終了した後、前記ジョブの実行の禁止を解除する、ことを特徴とする請求項１１〜１９の何れか一項に記載の画像出力装置。
【請求項２１】
コンピュータを、
画像データの各種媒体への出力であるジョブの実行時にユーザ情報を取得する取得手段、
前記取得手段により取得されたユーザ情報と、前記ジョブの実行時に出力された画像データとを対応付けて履歴情報として蓄積記憶する履歴記憶手段、
前記履歴記憶手段に記憶された履歴情報を所定のタイミングでサーバに一括して転送する履歴転送手段、
前記履歴転送手段により履歴情報を前記サーバに一括して転送中は前記ジョブの実行を禁止する制御手段、
として機能させるためのプログラム。
【請求項２２】
前記コンピュータを、
前記サーバからの転送要求を受信したか否かを判定する要求判定手段として更に機能させ、
前記履歴転送手段は、
前記要求判定手段により前記転送要求を受信したと判定された場合に、前記履歴記憶手段に記憶された履歴情報を前記サーバに転送する定期転送手段を有することを特徴とする請求項２１に記載のプログラム。
【請求項２３】
前記コンピュータを、
前記履歴記憶手段の空き容量を取得する容量取得手段、
前記容量取得手段により取得された空き容量が所定容量以下であるか否かを判定する判定する容量判定手段として更に機能させ、
前記履歴転送手段は、
前記容量判定手段により所定容量以下であると判定された場合に、前記履歴記憶手段に記憶された履歴情報を前記サーバに転送する容量不足時転送手段を有することを特徴とする請求項２１又は２２に記載のプログラム。
【請求項２４】
前記コンピュータを、
予め登録されたユーザ情報を記憶するユーザ情報記憶手段、
前記取得手段により取得されたユーザ情報と前記ユーザ情報記憶手段に記憶されたユーザ情報とが一致するか否かを判定するユーザ情報判定手段として更に機能させ、
前記履歴転送手段は、
前記ユーザ情報判定手段によりユーザ情報が一致すると判定された場合に、前記履歴記憶手段に記憶された当該ユーザ情報を含む履歴情報を前記サーバに転送する登録ユーザ転送手段を有することを特徴とする請求項２１〜２３の何れか一項に記載のプログラム。
【請求項２５】
前記履歴記憶手段は、
前記出力された画像データを縮小して履歴情報として蓄積記憶する、ことを特徴とする請求項２１〜２４の何れか一項に記載のプログラム。
【請求項２６】
前記コンピュータを、
前記履歴情報の転送が正常終了したか否かを判定する転送終了判定手段として更に機能させ、
前記制御手段は、
前記転送終了判定手段により正常終了していないと判定された場合に、前記ジョブの実行を禁止する制御を継続することを特徴とする請求項２１〜２５の何れか一項に記載のプログラム。
【請求項２７】
前記画像データの出力は、
当該画像データに基づいた画像の記録媒体上への画像形成による出力と、前記通信回線網への送信による出力との何れかを少なくとも含むことを特徴とする請求項２１〜２６の何れか一項に記載のプログラム。
【請求項２８】
前記取得手段は、
前記画像データに関する出力条件を示す出力ジョブ情報を更に取得し、
前記履歴記憶手段は、前記履歴情報として更に前記出力ジョブ情報を対応付けて蓄積記憶することを特徴とする請求項２１〜２７の何れか一項に記載のプログラム。
【請求項２９】
前記制御手段は、
前記履歴転送手段による前記履歴情報の転送が終了すると、転送された履歴情報を前記履歴記憶手段から削除する、ことを特徴とする請求項２１〜２８の何れか一項に記載のプログラム。
【請求項３０】
前記制御手段は、
前記履歴情報の削除が終了した後、前記ジョブの実行の禁止を解除する、ことを特徴とする請求項２１〜２９の何れか一項に記載のプログラム。
【手続補正２】
【補正対象書類名】明細書
【補正対象項目名】０００８
【補正方法】変更
【補正の内容】
【０００８】
以上の課題を解決するために、請求項１に記載の発明は、
画像データを各種媒体に出力するジョブを実行する画像出力装置とサーバとが通信回線網を介して接続された画像管理システムにおいて、
前記画像出力装置は、
前記ジョブの実行時にユーザ情報を取得する取得手段と、
前記取得手段により取得されたユーザ情報と、前記ジョブの実行時に出力された画像データとを対応付けて履歴情報として蓄積記憶する履歴記憶手段と、
前記履歴記憶手段に記憶された履歴情報を所定のタイミングで前記サーバに一括して転送する履歴転送手段と、
前記履歴転送手段により履歴情報を前記サーバに一括して転送中は前記ジョブの実行を禁止する制御手段と、
を備え、
前記サーバは、
前記画像出力装置から転送される履歴情報を受信する受信手段と、
前記受信手段により受信された履歴情報を蓄積記憶する履歴管理手段と、
を備えることを特徴としている。
【手続補正３】
【補正対象書類名】明細書
【補正対象項目名】００１２
【補正方法】変更
【補正の内容】
【００１２】
請求項５に記載の発明は、請求項１〜４の何れか一項に記載の発明において、
前記履歴記憶手段は、
前記出力された画像データを縮小して履歴情報として蓄積記憶する、ことを特徴としている。
【手続補正４】
【補正対象書類名】明細書
【補正対象項目名】００１３
【補正方法】変更
【補正の内容】
【００１３】
請求項６に記載の発明は、請求項１〜５の何れか一項に記載の発明において、
前記画像出力装置は、
前記履歴情報の転送が正常終了したか否かを判定する転送終了判定手段を更に備え、
前記制御手段は、
前記転送終了判定手段により正常終了していないと判定された場合に、前記ジョブの実行を禁止する制御を継続することを特徴としている。
【手続補正５】
【補正対象書類名】明細書
【補正対象項目名】００１５
【補正方法】変更
【補正の内容】
【００１５】
請求項８に記載の発明は、請求項１〜７の何れか一項に記載の発明において、
前記取得手段は、
前記画像データに関する出力条件を示す出力ジョブ情報を更に取得し、
前記履歴記憶手段は、前記履歴情報として更に前記出力ジョブ情報を対応付けて蓄積記憶することを特徴としている。
請求項９に記載の発明は、請求項１〜８の何れか一項に記載の発明において、
前記制御手段は、
前記履歴転送手段による前記履歴情報の転送が終了すると、転送された履歴情報を前記履歴記憶手段から削除する、ことを特徴としている。
請求項１０に記載の発明は、請求項１〜９の何れか一項に記載の発明において、
前記制御手段は、
前記履歴情報の削除が終了した後、前記ジョブの実行の禁止を解除する、ことを特徴としている。
【手続補正６】
【補正対象書類名】明細書
【補正対象項目名】００１６
【補正方法】変更
【補正の内容】
【００１６】
請求項１１に記載の画像出力装置は、
画像データの各種媒体への出力であるジョブの実行時にユーザ情報を取得する取得手段と、
前記取得手段により取得されたユーザ情報と、前記ジョブの実行時に出力された画像データとを対応付けて履歴情報として蓄積記憶する履歴記憶手段と、
前記履歴記憶手段に記憶された履歴情報を所定のタイミングでサーバに一括して転送する履歴転送手段と、
前記履歴転送手段により履歴情報を前記サーバに一括して転送中は前記ジョブの実行を禁止する制御手段と、
を備えることを特徴としている。
【手続補正７】
【補正対象書類名】明細書
【補正対象項目名】００１７
【補正方法】変更
【補正の内容】
【００１７】
請求項１２に記載の発明は、請求項１１に記載の発明において、
前記サーバからの転送要求を受信したか否かを判定する要求判定手段を更に備え、
前記履歴転送手段は、
前記要求判定手段により前記転送要求を受信したと判定された場合に、前記履歴記憶手段に記憶された履歴情報を前記サーバに転送する定期転送手段を有することを特徴としている。
【手続補正８】
【補正対象書類名】明細書
【補正対象項目名】００１８
【補正方法】変更
【補正の内容】
【００１８】
請求項１３に記載の発明は、請求項１１又は１２に記載の発明において、
前記履歴記憶手段の空き容量を取得する容量取得手段と、
前記容量取得手段により取得された空き容量が所定容量上であるか否かを判定する判定する容量判定手段と、
を更に備え、
前記履歴転送手段は、
前記容量判定手段により所定容量以下であると判定された場合に、前記履歴記憶手段に記憶された履歴情報を前記サーバに転送する容量不足時転送手段を有することを特徴としている。
【手続補正９】
【補正対象書類名】明細書
【補正対象項目名】００１９
【補正方法】変更
【補正の内容】
【００１９】
請求項１４に記載の発明は、請求項１１〜１３の何れか一項に記載の発明において、
予め登録されたユーザ情報を記憶するユーザ情報記憶手段と、
前記取得手段により取得されたユーザ情報と前記ユーザ情報記憶手段に記憶されたユーザ情報とが一致するか否かを判定するユーザ情報判定手段と、
を更に備え、
前記履歴転送手段は、前記ユーザ情報判定手段によりユーザ情報が一致すると判定された場合に、前記履歴記憶手段に記憶された当該ユーザ情報を含む履歴情報を即時的に前記サーバに転送する登録ユーザ転送手段を有することを特徴としている。
【手続補正１０】
【補正対象書類名】明細書
【補正対象項目名】００２０
【補正方法】変更
【補正の内容】
【００２０】
請求項１５に記載の発明は、請求項１１〜１４の何れか一項に記載の発明において、
前記履歴記憶手段は、
前記出力された画像データを縮小して履歴情報として蓄積記憶する、ことを特徴としている。
【手続補正１１】
【補正対象書類名】明細書
【補正対象項目名】００２１
【補正方法】変更
【補正の内容】
【００２１】
請求項１６に記載の発明は、請求項１１〜１５の何れか一項に記載の発明において、
前記履歴情報の転送が正常終了したか否かを判定する転送終了判定手段を更に備え、
前記制御手段は、
前記転送終了判定手段により正常終了していないと判定された場合に、前記ジョブの実行を禁止する制御を継続することを特徴としている。
【手続補正１２】
【補正対象書類名】明細書
【補正対象項目名】００２２
【補正方法】変更
【補正の内容】
【００２２】
請求項１７に記載の発明は、請求項１１〜１６の何れか一項に記載の発明において、
前記画像データの出力は、
当該画像データに基づいた画像の記録媒体上への画像形成による出力と、前記通信回線網への送信による出力との何れかを少なくとも含むことを特徴としている。
【手続補正１３】
【補正対象書類名】明細書
【補正対象項目名】００２３
【補正方法】変更
【補正の内容】
【００２３】
請求項１８に記載の発明は、請求項１１〜１７の何れか一項に記載の発明において、
前記取得手段は、
前記画像データに関する出力条件を示す出力ジョブ情報を更に取得し、
前記履歴記憶手段は、前記履歴情報として更に前記出力ジョブ情報を対応付けて蓄積記憶することを特徴としている。
請求項１９に記載の発明は、請求項１１から１８の何れか一項に記載の発明において、
前記制御手段は、
前記履歴転送手段による前記履歴情報の転送が終了すると、転送された履歴情報を前記履歴記憶手段から削除する、ことを特徴としている。
請求項２０に記載の発明は、請求項１１〜１９の何れか一項に記載の発明において、
前記制御手段は、
前記履歴情報の削除が終了した後、前記ジョブの実行の禁止を解除する、ことを特徴としている。
【手続補正１４】
【補正対象書類名】明細書
【補正対象項目名】００２４
【補正方法】変更
【補正の内容】
【００２４】
請求項２１に記載のプログラムは、コンピュータを、
画像データの各種媒体への出力であるジョブの実行時にユーザ情報を取得する取得手段、
前記取得手段により取得されたユーザ情報と、前記ジョブの実行時に出力された画像データとを対応付けて履歴情報として蓄積記憶する履歴記憶手段、
前記履歴記憶手段に記憶された履歴情報を所定のタイミングでサーバに一括して転送する履歴転送手段、
前記履歴転送手段により履歴情報を前記サーバに一括して転送中は前記ジョブの実行を禁止する制御手段、
として機能させることを特徴としている。
【手続補正１５】
【補正対象書類名】明細書
【補正対象項目名】００２５
【補正方法】変更
【補正の内容】
【００２５】
請求項２２に記載の発明は、請求項２１に記載の発明において、
前記コンピュータを、
前記サーバからの転送要求を受信したか否かを判定する要求判定手段として更に機能させ、
前記履歴転送手段は、
前記要求判定手段により前記転送要求を受信したと判定された場合に、前記履歴記憶手段に記憶された履歴情報を前記サーバに転送する定期転送手段を有することを特徴としている。
【手続補正１６】
【補正対象書類名】明細書
【補正対象項目名】００２６
【補正方法】変更
【補正の内容】
【００２６】
請求項２３に記載の発明は、請求項２１又は２２に記載の発明において、
前記コンピュータを、
前記履歴記憶手段の空き容量を取得する容量取得手段、
前記容量取得手段により取得された空き容量が所定容量以下であるか否かを判定する判定する容量判定手段として更に機能させ、
前記履歴転送手段は、
前記容量判定手段により所定容量以下であると判定された場合に、前記履歴記憶手段に記憶された履歴情報を前記サーバに転送する容量不足時転送手段を有することを特徴としている。
【手続補正１７】
【補正対象書類名】明細書
【補正対象項目名】００２７
【補正方法】変更
【補正の内容】
【００２７】
請求項２４に記載の発明は、請求項２１〜２３の何れか一項に記載の発明において、
前記コンピュータを、
予め登録されたユーザ情報を記憶するユーザ情報記憶手段、
前記取得手段により取得されたユーザ情報と前記ユーザ情報記憶手段に記憶されたユーザ情報とが一致するか否かを判定するユーザ情報判定手段として更に機能させ、
前記履歴転送手段は、
前記ユーザ情報判定手段によりユーザ情報が一致すると判定された場合に、前記履歴記憶手段に記憶された当該ユーザ情報を含む履歴情報を前記サーバに転送する登録ユーザ転送手段を有することを特徴としている。
【手続補正１８】
【補正対象書類名】明細書
【補正対象項目名】００２８
【補正方法】変更
【補正の内容】
【００２８】
請求項２５に記載の発明は、請求項２１〜２４の何れか一項に記載の発明において、
前記履歴記憶手段は、
前記出力された画像データを縮小して履歴情報として蓄積記憶する、ことを特徴としている。
【手続補正１９】
【補正対象書類名】明細書
【補正対象項目名】００２９
【補正方法】変更
【補正の内容】
【００２９】
請求項２６に記載の発明は、請求項２１〜２５の何れか一項に記載の発明において、
前記コンピュータを、
前記履歴情報の転送が正常終了したか否かを判定する転送終了判定手段として更に機能させ、
前記制御手段は、
前記転送終了判定手段により正常終了していないと判定された場合に、前記ジョブの実行を禁止する制御を継続することを特徴としている。
【手続補正２０】
【補正対象書類名】明細書
【補正対象項目名】００３０
【補正方法】変更
【補正の内容】
【００３０】
請求項２７に記載の発明は、請求項２１〜２６の何れか一項に記載の発明において、
前記画像データの出力は、
当該画像データに基づいた画像の記録媒体上への画像形成による出力と、前記通信回線網への送信による出力との何れかを少なくとも含むことを特徴としている。
【手続補正２１】
【補正対象書類名】明細書
【補正対象項目名】００３１
【補正方法】変更
【補正の内容】
【００３１】
請求項２８に記載の発明は、請求項２１〜２７の何れか一項に記載の発明において、
前記取得手段は、
前記画像データに関する出力条件を示す出力ジョブ情報を更に取得し、
前記履歴記憶手段は、前記履歴情報として更に前記出力ジョブ情報を対応付けて蓄積記憶することを特徴としている。
請求項２９に記載の発明は、請求項２１〜２８の何れか一項に記載の発明において、
前記制御手段は、
前記履歴転送手段による前記履歴情報の転送が終了すると、転送された履歴情報を前記履歴記憶手段から削除する、ことを特徴としている。
請求項３０に記載の発明は、請求項２１〜２９の何れか一項に記載の発明において、
前記制御手段は、
前記履歴情報の削除が終了した後、前記ジョブの実行の禁止を解除する、ことを特徴としている。
【手続補正２２】
【補正対象書類名】明細書
【補正対象項目名】００３２
【補正方法】変更
【補正の内容】
【００３２】
請求項１、１１及び２１に記載の発明によれば、画像出力装置は、ユーザ情報と画像データとを履歴情報として蓄積記憶した後に、サーバに転送して削除する。このため、画像出力の都度、履歴情報を転送することで画像出力装置の処理速度が低下したり、記憶装置の空き容量の不足が生じたりして、画像出力装置が過負荷になってしまうことを防止できる。
【手続補正２３】
【補正対象書類名】明細書
【補正対象項目名】００３４
【補正方法】変更
【補正の内容】
【００３４】
請求項２、１２及び２２に記載の発明によれば、サーバから所定の時間帯に送信される転送要求に従って、履歴情報を転送するため、その時間帯に一括して履歴情報を転送することができる。このため、履歴情報の転送により定常的に画像出力装置が過負荷になってしまうことを防止できる。
【手続補正２４】
【補正対象書類名】明細書
【補正対象項目名】００３５
【補正方法】変更
【補正の内容】
【００３５】
請求項３、１３及び２３に記載の発明によれば、履歴記憶手段の空き容量が所定容量以下の場合に、履歴情報を転送するため、履歴記憶手段の空き容量を確実に一定以上確保することができる。このため、履歴情報の蓄積により画像出力装置が過負荷になってしまうことを防止できる。
【手続補正２５】
【補正対象書類名】明細書
【補正対象項目名】００３６
【補正方法】変更
【補正の内容】
【００３６】
請求項４、１４及び２４に記載の発明によれば、予め登録されたユーザ情報が取得手段により取得された場合に、履歴情報を即時的に転送するため、その登録されたユーザ情報を含む履歴情報をサーバ側で逐次管理することができる。
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】変更
【補正の内容】
【００３８】
請求項６、１６及び２６に記載の発明によれば、履歴情報の転送が正常終了していない場合には、画像データの出力を停止するため、履歴記憶手段の容量不足等により履歴情報が記憶できるといった不安定な状態を回避することができる。
【手続補正２８】
【補正対象書類名】明細書
【補正対象項目名】００３９
【補正方法】変更
【補正の内容】
【００３９】
請求項７、１７及び２７に記載の発明によれば、記録媒体への画像形成による出力時の履歴情報、通信回線網への送信による出力時の履歴情報を蓄積記憶する画像出力装置を実現することができる。
【手続補正２９】
【補正対象書類名】明細書
【補正対象項目名】００４０
【補正方法】変更
【補正の内容】
【００４０】
請求項８、１８及び２８に記載の発明によれば、画像データに関する出力条件を示す出力情報を取得して履歴情報として蓄積記憶するため、画像データをどのように出力したかといった利用履歴を管理することができる。